(57)【要約】【課題】抽選の結果が当たりであるとき、球の重量を利用して球を確実に入賞口に導くことができる信頼性に優れた入賞装置を提供する。【解決手段】抽選の結果が当たりであるときに球が導かれる入賞球通路に、入賞チャッカーへの後続の球の流れを制御するリンク機構を配置した入賞装置である。このリンク機構は、入賞した球の重量により駆動されてアタッカー扉を進出させ、後続の球を入賞チャッカーに導く機能と、前記入賞チャッカーを通過した球の重量により駆動されて、前記アタッカー扉を後退させる機能とを備えたものであること。リンク機構は様々な形態を取ることができる。【選択図】図１
2020031901.tif 000002
【特許請求の範囲】
【請求項１】
入賞球通路に、入賞チャッカーへの後続の球の流れを制御するリンク機構を配置した入賞装置であって、このリンク機構は、入賞した球の重量により駆動されてアタッカー扉を進出させ、後続の球を入賞チャッカーに導く機能と、前記入賞チャッカーを通過した球の重量により駆動されて、前記アタッカー扉を後退させる機能とを備えたものであることを特徴とする入賞装置。
【請求項２】
前記入賞球通路の上流側に、球が通過したとき抽選を開始するスタートチャッカーと、抽選の結果が当たりであるとき第２チャッカーに球を導くガイド機構と、第２チャッカーを通過した球を前記入賞球通路とアウト球排出路に振り分ける振り分け機構を配置したことを特徴とする請求項１に記載の入賞装置。
【請求項３】
前記リンク機構は、入賞球通路内を落下する球の重量により下方に揺動される駆動リンクと、この駆動リンクの下方への動きと連動してアタッカー扉を進出させるリンクと、この駆動リンクの下方への動きと連動して下方のリセット用リンクを上昇させる昇降リンクとを備え、このリセット用リンクが前記入賞チャッカーを通過した球の重量により下方に揺動されたとき昇降リンクを上昇させ、前記アタッカー扉を後退させることを特徴とする請求項１または２に記載の入賞装置。
【請求項４】
前記リンク機構は、アタッカー扉を進出位置に保持する磁石を備えることを特徴とする請求項３に記載の入賞装置。
【請求項５】
前記リンク機構は、アタッカー扉を進出位置に保持するウエイトを備えることを特徴とする請求項３に記載の入賞装置。
【請求項６】
前記リンク機構は、入賞球通路内を落下する入賞した球の重量により回転する駆動リンクと、この駆動リンクの回転と連動してアタッカー扉を進出させるリンクと、アタッカー扉を進出位置に保持するストッパと、前記入賞チャッカーを通過した球の重量によりストッパを後退させるリセット用リンクとからなることを特徴とする請求項１または２に記載の入賞装置。
【請求項７】
前記リンク機構は、入賞球通路内を落下する入賞した球の重量により進出位置に直接回転されるアタッカー扉と、アタッカー扉を進出位置に保持するストッパと、前記入賞チャッカーを通過した球の重量によりストッパを後退させるリセット用リンクとからなることを特徴とする請求項１または２に記載の入賞装置。
【発明の詳細な説明】
【技術分野】
【０００１】
本発明は、球の重量を利用して入賞チャッカーへの球の流れを制御するリンク機構を備えたパチンコ機の入賞装置に関するものである。なお本明細書において球の重量とは、球の静止重量及び球の運動による衝撃重量を含むものである。
【背景技術】
【０００２】
パチンコ機の入賞装置としては、特定のスタートチャッカーを球が通過したとき抽選を開始し、抽選の結果が当たりであるとき後続の球を入賞口に導く構造が一般的である。このためには例えば特許文献1に示すように、ソレノイドなどの電動駆動手段を用いて入賞チャッカーへの球の流れを制御する構造が一般的である。
【０００３】
ところが、ソレノイドなどの電動駆動手段を採用するため入賞装置の製作コストが高くなり、また遊技中の電力費も高くなるという問題があった。
【０００４】
そこで昔のパチンコ機の入賞装置のように電動駆動手段を使用せず、入賞した球の重量を利用して機械的に入賞口の開閉を行わせることも考えられる。しかしこのような旧来構造は信頼性に問題があった。
【先行技術文献】
【特許文献】
【０００５】
【特許文献１】特開２００４−２１５９５６号公報
【発明の概要】
【発明が解決しようとする課題】
【０００６】
従って本発明の目的は、抽選の結果が当たりであるとき、球の重量を利用して球を確実に入賞口に導くことができる信頼性に優れた入賞装置を提供することである。
【課題を解決するための手段】
【０００７】
上記の課題を解決するためになされた本発明の入賞装置は、入賞球通路に、入賞チャッカーへの後続の球の流れを制御するリンク機構を配置した入賞装置であって、このリンク機構は、入賞した球の重量により駆動されてアタッカー扉を進出させ、後続の球を入賞チャッカーに導く機能と、前記入賞チャッカーを通過した球の重量により駆動されて、前記アタッカー扉を後退させる機能とを備えたものであることを特徴とする。
【０００８】
好ましい実施形態においては、前記入賞球通路の上流側に、球が通過したとき抽選を開始するスタートチャッカーと、抽選の結果が当たりであるとき第２チャッカーに球を導くガイド機構と、第２チャッカーを通過した球を前記入賞球通路とアウト球排出路に振り分ける振り分け機構が配置される。
【０００９】
前記リンク機構は、請求項３のように、前記リンク機構は、入賞球通路内を落下する球の重量により下方に揺動される駆動リンクと、この駆動リンクの下方への動きと連動してアタッカー扉を進出させるリンクと、この駆動リンクの下方への動きと連動して下方のリセット用リンクを上昇させる昇降リンクとを備え、このリセット用リンクが前記入賞チャッカーを通過した球の重量により下方に揺動されたとき昇降リンクを上昇させ、前記アタッカー扉を後退させるものとすることができる。なお、前記リンク機構は、アタッカー扉を進出位置に保持する磁石を備える態様とすることができる。あるいは前記リンク機構は、アタッカー扉を進出位置に保持するウエイトを備える態様とすることができる。
【００１０】
また前記リンク機構は、請求項６のように、入賞球通路内を落下する入賞した球の重量により回転する駆動リンクと、この駆動リンクの回転と連動してアタッカー扉を進出させるリンクと、アタッカー扉を進出位置に保持するストッパと、前記入賞チャッカーを通過した球の重量によりストッパを後退させるリセット用リンクとからなるものとすることができる。
【００１１】
また前記リンク機構は、請求項７のように、入賞球通路内を落下する入賞した球の重量により進出位置に直接回転されるアタッカー扉と、アタッカー扉を進出位置に保持するストッパと、前記入賞チャッカーを通過した球の重量によりストッパを後退させるリセット用リンクとからなるものとすることができる。
【発明の効果】
【００１２】
本発明の入賞装置は、入賞球通路にリンク機構を備えたものであり、このリンク機構は、入賞した球の重量により駆動されてアタッカー扉を進出させ、後続の球を入賞チャッカーに導く機能と、前記入賞チャッカーを通過した球の重量により駆動されて、前記アタッカー扉を後退させる機能とを備える。このため、入賞球の重量により進出させたアタッカー扉を経由して後続の球を入賞チャッカーに導くことができ、その球が入賞チャッカーを通過すると球の重量によりアタッカー扉を後退させ、それより後の球はアウト球排出口に排出される。従って、抽選の結果が当たりであるとき、球の重量のみを利用して１個の球を確実に入賞口に導くことができる。
【図面の簡単な説明】
【００１３】
【図１】第１の実施形態の入賞装置を正面側から見た斜視図である。
【図２】第１の実施形態の入賞装置を背面側から見た斜視図である。
【図３】ガイド板が突出した状態を示す正面側の斜視図である。
【図４】ガイド機構を示す模式的な底面図である。
【図５】振り分け機構における球の流れを示す斜視図である。
【図６】振り分け機構を通過した球の流れの説明図である。
【図７】第１の実施形態のリンク機構の斜視図である。
【図８】第１の実施形態のリンク機構の斜視図である。
【図９】第１の実施形態のリンク機構の模式図である。
【図１０】第２の実施形態の入賞装置を正面側から見た斜視図である。
【図１１】第２の実施形態の入賞装置を背面側から見た斜視図である。
【図１２】第２の実施形態のガイド機構を示す模式図である。
【図１３】第２の実施形態の振り分け機構を示す模式図である。
【図１４】振り分け機構と入賞球通路を示す断面図である。
【図１５】第２の実施形態のリンク機構の斜視図である。
【図１６】第２の実施形態のリンク機構の斜視図である。
【図１７】第２の実施形態のリンク機構の模式図である。
【図１８】第２の実施形態のリンク機構の模式図である。
【図１９】第３の実施形態の入賞装置を正面側から見た斜視図である。
【図２０】第３の実施形態の入賞装置を背面側から見た斜視図である。
【図２１】内部構造を示す切断斜視図である。
【図２２】第３の実施形態のリンク機構を示す斜視図である。
【図２３】第３の実施形態のリンク機構を示す斜視図である。
【図２４】第３の実施形態のリンク機構を示す模式図である。
【図２５】第４の実施形態の入賞装置を正面側から見た斜視図である。
【図２６】第４の実施形態の入賞装置を背面側から見た斜視図である。
【図２７】入賞球通路を示す説明図である。
【図２８】第４の実施形態のリンク機構を示す斜視図である。
【図２９】第４の実施形態のリンク機構を示す斜視図である。
【図３０】アタッカー扉が進出した状態を示す斜視図である。
【図３１】内部構造を示す切断斜視図である。
【発明を実施するための形態】
【００１４】
以下に本発明の実施形態を説明する。以下に説明する４つの実施形態はそれぞれリンク機構の構造が異なるが、球がスタートチャッカーを通過したとき抽選が開始され、抽選の結果が当たりであるとき入賞球通路に球を導くガイド機構が作動し、このガイド機構を通過した球がさらに振り分け機構を通過して入賞球通路に入る構造である。以下に４つの実施形態を詳細に説明する。
【００１５】
（第１の実施形態）
図１は第１の実施形態の入賞装置を正面側から見た斜視図、図２は背面側から見た斜視図である。１０は樹脂製のケースであり、その内部は厚み方向に３層構造となっている。図１に示されるのが表面側の第１層、図２に示されるのが背面側の第３層であり、その間に中間の第２層が形成されている。以下に説明するように、球は基本的には表面側の第１層を下方に移動する。なお第１層を落下する球が手前にこぼれないように、図１に破線で示す平板１６がケース１０の一部として形成されている。
【００１６】
ケース１０の上端部の第１層に、スタートチャッカー１１が設けられている。球がスタートチャッカー１１を通過したとき抽選が開始される。抽選結果が外れの場合には、球は第１層を下方に落下し、ケース１０の第１層に突設された第１斜面１２、第２斜面１３、第３斜面１４を順次転動して下部の排出口１５からそのまま排出される。
【００１７】
抽選結果が当たりの場合には、スタートチャッカー１１の下方に設けられた図２に示されるガイド機構２０が作動し、傾斜したガイド板２１を図３のように第１層に進出させる。これにより後続の球は第２チャッカー２２に導かれる。ガイド機構２０は本発明の要部ではないが、実施形態に組み込まれているため、以下に簡単に説明する。
【００１８】
図２に示すように、ガイド機構２０はソレノイド２３を備えている。ソレノイド２３がオンとなって作動するとガイド板２１が進出するのであるが、その機構を図４に模式的に示した。図４に示す通り、ソレノイド２３はバネ２４を備えたプランジャ２５を持ち、このプランジャ２５には平行に延びるロッド２６が取り付けられている。また、ソレノイド２３の直下に位置する垂直軸２７には揺動部材２８が軸支されており、プランジャ２５がバネ２４に抗して図４の右側に動くと、ロッド２６の先端が揺動部材２８に当たり、揺動部材２８を図４の時計方向に揺動させる。この揺動部材２８の先端の円柱部２９がガイド板２１の基部３０に形成された長孔３１に嵌合しているため、ガイド板２１は図４の上側に押し出される。またソレノイド２３がオフとなると、プランジャ２５はバネ２４により左方向に押し出され、ガイド板２１は後退する。
【００１９】
図３に示すように、ガイド板２１が進出すると、スタートチャッカー１１から下方に落下した球が傾斜したガイド板２１に乗り、第２チャッカー２２を通過する。第２チャッカー２２を通過した球は、ケース１０の穴を通過して第２層に入る。球が第２チャッカー２２を通過すると再び抽選が開始され、その結果が当たりの場合には振り分け機構４０が作動する。この振り分け機構４０も本発明の要部ではないが、実施形態に組み込まれているため、以下に簡単に説明する。
【００２０】
図２に示されるように、振り分け機構４０はソレノイド４１を備え、ソレノイド４１がオンになったときに水平軸４２を中心として揺動部材４３を図２の反時計方向に揺動させる。揺動部材４３の上端はケース１０に形成された円弧状スリット４４から第２層内に延びている。図５、図６に示すように、揺動部材４３の上端は舌片４５となっている。
【００２１】
球が第２チャッカー２２を通過すると開始される抽選の結果が外れの場合には、振り分け機構４０のソレノイド４１は舌片４５を動かし、球を図５に示すように第２層の下方に形成されたアウト球通路４６に導き、ケース１０の裏面側に排出する。一方、抽選の結果が当たりの場合には舌片４５が図６の位置に移動し、第２チャッカー２２を通過した球を図６に示すように第２層に形成された入賞球通路４７に導く。
【００２２】
入賞球通路４７には、リンク機構５０が配置されている。図７、図８にリンク機構５０のみを取り出して示した。また図９に、リンク機構５０を線図で模式的に示した。
【００２３】
これらの図に示されるように、第１の実施形態のリンク機構５０は、上下に延びる昇降リンク５１を備えている。昇降リンク５１の上端部は駆動リンク５２の中央部のピン５３により支持されている。駆動リンク５２に基部はケース１０の軸５４に軸支されている。駆動リンク５２の先端５５は、図６に示すように入賞球通路４７の垂直部に突出している。また、昇降リンク５１の下端部はリセット用リンク５６のピン５７に支持されている。リセット用リンク５６は中央部をケース１０の軸５８により軸支されており、ピン５７の反対側には金属製のウエイト５９が取り付けられている。なお、ウエイト５９の下側と上側には、ウエイト５９を吸着保持する小型の磁石６０，６１が設けられている。
【００２４】
このように昇降リンク５１は上下を駆動リンク５２の中央部のピン５３とリセット用リンク５６のピン５７に支持されている。駆動リンク５２の先端５５は入賞球通路４７の垂直部に突出しているので、球が入賞球通路４７を流れると球の重量により駆動リンク５２の先端５５が下向きに揺動し、図９の左図に矢印で示したように、昇降リンク５１を下降させる。このときウエイト５９は上方に揺動し、磁石６０に吸着保持される。なお、駆動リンク５２の先端５５を下降させた球は、図６に示す球排出経路６６を通じて排出される。
【００２５】
図９の右図に示すように、この昇降リンク５１の途中に、Ｌ字型のリンク６２の先端が連結されている。このＬ字型のリンク６２は中央部をケース１０の軸６３に軸支されており、昇降リンク５１の昇降に連れて揺動する。リンク６２の他端のピン６４はアタッカー扉６５の基部に連結されている。このため、昇降リンク５１が球の重量により下降すると、図９の右図に示すようにアタッカー扉６５は第１層に向かって進出する。アタッカー扉６５が進出した状態が、図３、図５に示されている。
【００２６】
図１に示すアタッカー扉６５が後退した状態では、スタートチャッカー１１を通過した球は、第１斜面１２、第２斜面１３、第３斜面１４を順次転動して下部の排出口１５からそのまま排出される。しかしアタッカー扉６５が第３斜面１４の上方位置に進出すると、後続の球は図３に示されるようにアタッカー扉６５の上を転動して入賞チャッカー７０に導かれ、大当たりとなって所定数の賞球が払い出されることとなる。
【００２７】
入賞チャッカー７０を通過した球は、図２に示される第３層に形成された球排出経路７１に流れるが、球排出経路７１には前記したリンク機構５０のウエイト５９の上部先端に突設された突起７２が出ている。このため、入賞チャッカー７０を通過した球の重量によってリセット用リンク５６は図９の反時計方向に揺動し、昇降リンク５１を上昇させる。これと連動してＬ字型のリンク６２も図９の反時計方向に揺動し、アタッカー扉６５は第１層から第２層内に後退され、初期状態にリセットされる。
【００２８】
このように、第１の実施形態のリンク機構５０は、球が入賞球通路４７を流れると球の重量により駆動リンク５２の先端５５が下向きに揺動し、昇降リンク５１を下降させてアタッカー扉６５を進出させる。このため後続の球は入賞チャッカー７０に導かれるが、入賞チャッカー７０を通過した球の重量によって昇降リンク５１を上昇させ、アタッカー扉６５を後退させる。このため、球の重量を利用して球を確実に入賞口に導くことができ、また球の重量を利用してリセットすることが可能である。
【００２９】
以上に説明した第１の実施形態の作動を整理すると次の通りである。
（１）球がスタートチャッカー１１を通過したとき抽選が開始される。抽選結果が外れの場合には、球は第１層を下方に落下し、ケース１０の第１層に突設された第１斜面１２、第２斜面１３、第３斜面１４を順次転動して下部の排出口１５からそのまま排出される。
（２）抽選結果が当たりの場合には、スタートチャッカー１１の下方に設けられたガイド機構２０が作動し、傾斜したガイド板２１を図３のように第１層に進出させる。これにより後続の球は第２チャッカー２２に導かれる。
（３）球が第２チャッカー２２を通過すると再び抽選が開始される。抽選結果が外れの場合には、振り分け機構４０のソレノイド４１は舌片４５を動かし、アウト球通路４６に導き、ケース１０の裏面側に排出する。
（４）抽選の結果が当たりの場合には舌片４５が図６の位置に移動し、第２チャッカー２２を通過した球を第２層に形成された入賞球通路４７に導く。
（５）球が入賞球通路４７を流れると入賞した球の重量により駆動リンク５２の先端５５が下向きに揺動し、昇降リンク５１を下降させてアタッカー扉６５を進出させる。このため後続の球は入賞チャッカー７０に導かれ、大当たりとなる。
（６）しかし、入賞チャッカー７０を通過した球の重量によってリンク機構５０はアタッカー扉６５を後退させ、初期状態にリセットされる。
【００３０】
（第２の実施形態）
次に、図１０〜図１８に示す第２の実施形態を説明する。
図１０は第２の実施形態の入賞装置を正面側から見た斜視図、図１１は背面側から見た斜視図である。１１０は樹脂製のケースであり、その内部は厚み方向に３層構造となっている。図１０に示されるのが表面側の第１層、図１１に示されるのが背面側の第３層であり、その間に中間の第２層が形成されている。以下に説明するように、球は基本的には表面側の第１層を下方に移動する。なお第１層を落下する球が手前にこぼれないように、図１０に破線で示す平板１１６がケース１１０の一部として形成されている。
【００３１】
ケース１１０の上端部の第１層に、スタートチャッカー１１１が設けられている。球がスタートチャッカー１１１を通過したとき抽選が開始される。抽選結果が外れの場合には、球は第１層を下方に落下し、ケース１１０の第１層に突設された第１斜面１１２、第２斜面１１３、第３斜面１１４を順次転動して下部の排出口１１５からそのまま排出される。
【００３２】
抽選結果が当たりの場合には、スタートチャッカー１１１の下方に設けられたガイド機構１２０が作動し、傾斜したガイド板１２１を図１０のように第１層に進出させる。これにより後続の球は第２チャッカー１２２に導かれる。ガイド機構１２０は本発明の要部ではないが、実施形態に組み込まれているため、以下に簡単に説明する。
【００３３】
図１１に示すように、ガイド機構１２０はソレノイド１２３を備えている。ソレノイド１２３がオンとなって作動するとガイド１２１が進出するのであるが、その機構はケース１１０の内部にあって外側からは分かりにくいので、図１２に模式的に示した。図１２に示す通り、ソレノイド１２３はバネ１２４を備えたプランジャ１２５を持ち、このプランジャ１２５には平行に延びるロッド１２６が取り付けられている。また、ソレノイド１２３の上方にはケース１１０に固定された垂直軸１２７が設けられており、揺動部材１２８が軸支されている。この揺動部材１２８は水平面内で略Ｌ型に屈曲しており、その一端にロッド１２６の先端が遊動自在に嵌まっている。また揺動部材１２８の他端の円柱部１２９がガイド板１２１の基部１３０に形成された長孔１３１に嵌合している。このため、図１２に矢印で示すようにソレノイド１２３が作動してロッド１２６が後退すると、揺動部材１２８が垂直軸１２７を中心として図１２の反時計方向に揺動し、ガイド板１２１を図１２の上方向に押し出す。またソレノイド１２３がオフとなると、プランジャ１２５はバネ１２４により右方向に押し出され、ガイド板１２１は後退する。
【００３４】
図１０に示すように、ガイド板２１が進出すると、スタートチャッカー１１１から下方に落下した球が傾斜したガイド板１２１に乗り、第２チャッカー１２２を通過する。第２チャッカー１２２を通過した球は、ケース１１０の穴を通過して第２層に入る。球が第２チャッカー２２を通過すると再び抽選が開始され、その結果が当たりの場合には振り分け機構１４０が作動する。この振り分け機構１４０も本発明の要部ではないが、実施形態に組み込まれているため、以下に簡単に説明する。
【００３５】
図１１に示されるように、振り分け機構１４０はソレノイド１４１を備えている。振り分け機構１４０もケース１１０の内部にあって外側からは分かりにくいので、図１３に模式的に示した。ソレノイド１４１のプランジャ１４２にはロッド１４３が取り付けられており、ロッド１４３の先端は水平軸１４４に軸支された揺動部材１４５の下端と係合している。このため、ソレノイド１４１がオンになったときに水平軸１４４を中心として揺動部材１４５を図１３の反時計方向に揺動させることができる。揺動部材１４５の上端はケース１１０に形成された円弧状スリットから第２層内に延びている。図１４に示すように、揺動部材１４３の上端は舌片１４６となっている。
【００３６】
球が第２チャッカー１２２を通過すると開始される抽選の結果が当たりの場合には、振り分け機構１４０のソレノイド１４１は舌片１４６を図１４の左側位置に動かし、第２チャッカー１２２を通過した球を図１４に示すように第３層の下方に形成された入賞球通路１４７に導く。一方、抽選の結果が外れの場合には舌片１４６は右側位置にあり、第２チャッカー１２２を通過した球を図１４に示すように第２層に形成されたアウト球排出通路１４８に排出する。
【００３７】
入賞球通路１４７には、図１５〜図１８に示すリンク機構１５０が設けられている。このリンク機構１５０は、ケース１１０に固定された水平軸１５１を中心として揺動するＬ型の揺動リンク１５２を備えており、その上端がアタッカー扉１６０の後部につながっている。揺動リンク１５２の他端にはウエイト１５３が固定されており、揺動リンク１５２に図１７における反時計方向の回転モーメントを与えている。この回転モーメントは、アタッカー扉１６０を図１７に示すように後退させる力として作用する。なお、アタッカー扉１６０の後部の上方には、軸１５４を中心として上方に揺動できるストッパ１５５が設けられており、このストッパ１５５の下方にはストッパ１５５を上方に跳ね上げるロッド１５６が設けられている。これらの役割については後述する。
【００３８】
図１５に示すように、ウエイト１５３の側方には突起１５７が突設されており、その側方には駆動リンク１６１が配置されている。駆動リンク１６１の先端部１６２は図１４に示すように入賞球通路１４７の内部に出ており、入賞球通路１４７を落下する球が先端部１６２に当たると、球の重量により駆動リンク１６１は軸１６３を中心として図１５の反時計方向に揺動し、ウエイト１５３の突起１６２に当たってウエイト１５３を上方に移動させる。その状態を図１６に示す。ウエイト１５３が上方に移動すると、揺動リンク１５２は時計方向に回転してアタッカー扉１６０を第１層に進出させる。これと同時にストッパ１５５が下方に揺動し、図１８に示すようにアタッカー扉１６０の後端部１６４と係合し、アタッカー扉１６０が後退しないように保持する。
【００３９】
このようにしてアタッカー扉１６０が第１層に進出すると、スタートチャッカー１１１から下方に落下して第１斜面１１２、第２斜面１１３を流れてきた後続の球がアタッカー扉１６０によって入賞チャッカー１８０に導かれ、大当たりとなって所定数の賞球が払い出されることとなる。入賞チャッカー１８０を通過した球は、入賞チャッカー１８０の出口に形成された穴を通って第３層の球排出経路１８１に流れる。
【００４０】
前記したロッド１５６の下方にはリセット用リンク１６５が軸１６６に軸支されている。このリセット用リンク１６５の先端部１６７は図１１に示すように第３層の球排出経路１８１に位置している。このため、入賞チャッカー１８０を通過し球排出経路１８１を落下する球の重量によりリセット用リンク１６５が図１５、図１６の反時計方向に揺動されると、リセット用リンク１６５の他端がロッド１５６を図１５、図１７に示すように上方に押し上げ、ストッパ１５５を跳ね上げる。その結果、揺動リンク１５２は支えを失ってウエイト１５３により図１７の初期位置に戻り、アタッカー扉１６０は後退する。
【００４１】
このように、第２の実施形態のリンク機構１５０は、球が入賞球通路１４７を流れると球の重量により駆動リンク１６１が揺動し、ウエイト１５３を上方に移動させる。その結果、揺動リンク１５２は時計方向に回転してアタッカー扉１６０を第１層に進出させる。これと同時にストッパ１５５がアタッカー扉１６０が後退しないように保持する。アタッカー扉１６０が進出すると後続の球は入賞チャッカー１８０に導かれるが、入賞チャッカー１８０を通過した球の重量によってリセット用リンク１６５が揺動され、ストッパ１５５を跳ね上げてアタッカー扉１６０を後退させる。このため、球の重量を利用して球を確実に入賞口に導くことができ、また球の重量を利用してリセットすることが可能である。
【００４２】
以上に説明した第２の実施形態の作動を整理すると次の通りである。
（１）球がスタートチャッカー１１１を通過したとき抽選が開始される。抽選結果が外れの場合には、球は第１層を下方に落下し、ケース１１０の第１層に突設された第１斜面１１２、第２斜面１１３、第３斜面１１４を順次転動して下部の排出口１１５からそのまま排出される。
（２）抽選結果が当たりの場合には、スタートチャッカー１１１の下方に設けられたガイド機構１２０が作動し、ガイド板１２１を図１０のように第１層に進出させる。これにより後続の球は第２チャッカー１２２に導かれる。
（３）球が第２チャッカー１２２を通過すると再び抽選が開始される。抽選結果が外れの場合には、球をアウト球通路１４８に導き、ケース１１０の裏面側に排出する。
（４）抽選の結果が当たりの場合には舌片１４６が図１４左側の位置にあり、第２チャッカー１２２を通過した球を第３層の下方に形成された入賞球通路１４７に導く。
（５）球が入賞球通路１４７を流れると入賞した球の重量により駆動リンク１６１が下向きに揺動し、アタッカー扉１６０を進出させる。このため後続の球は入賞チャッカー１８０に導かれ、大当たりとなる。
（６）しかし、入賞チャッカー１８０を通過した球の重量によってリンク機構１５０はアタッカー扉１６０を後退させ、初期状態にリセットされる。
【００４３】
（第３の実施形態）
次に、図１９〜図２４に示す第３の実施形態を説明する。
図１９は第３の実施形態の入賞装置を正面側から見た斜視図、図２０は背面側から見た斜視図である。２１０は樹脂製のケースであり、その内部は厚み方向に３層構造となっている。図１９に示されるのが表面側の第１層、図２０に示されるのが背面側の第３層であり、その間に中間の第２層が形成されている。以下に説明するように、球は基本的には表面側の第１層を下方に移動する。なお第１層を落下する球が手前にこぼれないように、図１０に破線で示す平板２１６がケース２１０の一部として形成されている。
【００４４】
ケース２１０の上端部の第１層に、スタートチャッカー２１１が設けられている。球がスタートチャッカー２１１を通過したとき抽選が開始される。抽選結果が外れの場合には、球は第１層を下方に落下し、ケース２１０の第１層に突設された第１斜面２１２、第２斜面２１３、第３斜面２１４を順次転動して下部の排出口２１５からそのまま排出される。
【００４５】
抽選結果が当たりの場合には、スタートチャッカー２１１の下方に設けられたガイド機構２０が作動し、傾斜したガイド板２１を第１層に進出させる。このガイド機構２０は本発明の要部ではないうえ、第１の実施形態のガイド機構２０と同一であるため、説明を省略する。
【００４６】
ガイド板２１が進出すると、スタートチャッカー２１１から下方に落下した球が傾斜したガイド板２１に乗り、第２チャッカー２２２を通過する。第２チャッカー２２２を通過した球は、ケース２１０の穴を通過して第２層に入る。球が第２チャッカー２２２を通過すると再び抽選が開始され、その結果が当たりの場合には振り分け機構２４０が作動する。この振り分け機構２４０も本発明の要部ではないが、実施形態に組み込まれているため、以下に簡単に説明する。
【００４７】
図２０に示されるように、振り分け機構２４０は下向きのソレノイド２４１を備えている。ソレノイド２４１のプランジャ２４２にはクランク型のアーム２４３が取り付けられており、その先端は水平軸２４４に軸支された揺動部材２４５の側方部のピン２４６と係合している。このため、ソレノイド２４１がオンになったときに水平軸２４４を中心として揺動部材２４５を図２０の反時計方向に揺動させることができる。揺動部材２４５の上端はケース２１０に形成された円弧状スリット２４７から第２層内に延びている。図２１に示すように、揺動部材２４３の上端は傾斜した舌片２３８となっている。
【００４８】
球が第２チャッカー２２２を通過すると開始される抽選の結果が外れの場合には、振り分け機構２４０のソレノイド２４１は舌片２３８を図２１の凹部２３９内に動かし、第２チャッカー２２２を通過した球を図２１に示されるアウト球排出通路２４８に排出する。抽選の結果が当たりの場合には、振り分け機構２４０のソレノイド２４１は舌片２３８を図２１の位置に戻し、第２チャッカー２２２を通過した球を図２１に示す第２層の入賞球通路２４９に導く。
【００４９】
入賞球通路２４９には、図２２〜図２４に示すリンク機構２５０が設けられている。このリンク機構２５０は、水平軸２５１に軸支された揺動リンク２５２を備え、その下端２５３がアタッカー扉２５４の上部に遊嵌されている。図２２と図２４の左図は揺動リンク２５２がほぼ直立し、アタッカー扉２５４が左側に後退した状態を示している。揺動リンク２５２の上端２５５は、その上方の水平軸２５６に軸支されたＬ型の駆動リンク２５７の下部２５８に遊嵌されている。このＬ型の駆動リンク２５７の先端２５９は、入賞球通路２４９内に突出している。なお、揺動リンク２５２にはウエイト２６０が取り付けられており、図２４において時計方向の回転モーメントが与えられている。従って図２２と図２４の左図は安定状態である。
【００５０】
入賞球通路２４９内を球が落下すると、駆動リンク２５７の先端２５９に下向きの力が作用し、駆動リンク２５７を図２４の時計方向に駆動する。この結果、揺動リンク２５２の上端２５５は左方向に動かされ、揺動リンク２５２は水平軸２５１を中心として反時計方向に揺動し、その下端２５３がアタッカー扉２５４を右方向、すなわち第１層の方向に進出させる。アタッカー扉２５４の下部には窓穴２６１が形成されており、その内部にストッパ２６２が貫通している。ストッパ２６２は下部に係止部２６３を備えており、アタッカー扉２５４が係止部２６３の位置まで進出すると、ストッパ２６２の係止部２６３が窓穴２６１の下部に引っ掛かり、図２４の右図に示すようにアタッカー扉２５４を進出位置に保持する。
【００５１】
このようにしてアタッカー扉２５４が第１層に進出すると、スタートチャッカー２１１から下方に落下して第１斜面２１２、第２斜面２１３を流れてきた後続の球がアタッカー扉２５４によって入賞チャッカー２８０に導かれ、大当たりとなって所定数の賞球が払い出されることとなる。入賞チャッカー２８０を通過した球は、入賞チャッカー２８０の出口に形成された穴を通って第３層の球排出経路２８１に流れる。
【００５２】
図２２、図２３に示すように、このストッパ２６２の下方にはリセット用リンク２７０が設けられている。このリセット用リンク２７０の先端２７１は、図２０、図２１に示されるように入賞チャッカー２８０の出口の直下に位置している。このため入賞チャッカー２８０を通過した球の重量によりリセット用リンク２７０は揺動し、図２２に示すようにストッパ２６２を上方に移動させる。するとストッパ２６２の係止部２６３がアタッカー扉２５４から外れるので、揺動リンク２５２にはウエイト２６０によるモーメントによって元の位置まで後退する。
【００５３】
このように、第３の実施形態のリンク機構２５０は、球が入賞球通路２４９を流れると球の重量により駆動リンク２５２が揺動し、揺動リンク２５２は反時計方向に回転してアタッカー扉２５４を第１層に進出させる。これと同時にストッパ２６２がアタッカー扉２５４を後退しないように保持する。アタッカー扉２５４が進出すると後続の球は入賞チャッカー２８０に導かれるが、入賞チャッカー２８０を通過した球の重量によってリセット用リンク２７０がストッパ２６２を外し、アタッカー扉２５４を後退させる。このため、球の重量を利用して球を確実に入賞口に導くことができ、また球の重量を利用してリセットすることが可能である。
【００５４】
以上に説明した第３の実施形態の作動を整理すると次の通りである。
（１）球がスタートチャッカー２１１を通過したとき抽選が開始される。抽選結果が外れの場合には、球は第１層を下方に落下し、ケース２１０の第１層に突設された第１斜面２１２、第２斜面２１３、第３斜面２１４を順次転動して下部の排出口２１５からそのまま排出される。
（２）抽選結果が当たりの場合には、スタートチャッカー２１１の下方に設けられたガイド機構２０が作動し、ガイド板２１を第１層に進出させる。これにより後続の球は第２チャッカー２２２に導かれる。
（３）球が第２チャッカー２２２を通過すると再び抽選が開始される。抽選結果が外れの場合には、球はアウト球通路２４８に導かれ、ケース２１０の裏面側に排出される。
（４）抽選の結果が当たりの場合には舌片２３８が図２１の左側の位置にあり、第２チャッカー２２２を通過した球を第２層に形成された入賞球通路２４９に導く。
（５）球が入賞球通路２４９を流れると入賞した球の重量により駆動リンク２５７が下向きに揺動し、アタッカー扉２５４を進出させる。このため後続の球は入賞チャッカー２８０に導かれ、大当たりとなる。
（６）しかし、入賞チャッカー２８０を通過した球の重量によってリンク機構２５０はアタッカー扉２５４を後退させ、初期状態にリセットされる。
【００５５】
（第４の実施形態）
次に、図２５〜図２８に示す第４の実施形態を説明する。
図２５は第４の実施形態の入賞装置を正面側から見た斜視図、図２６は背面側から見た斜視図である。３１０は樹脂製のケースであり、その内部は厚み方向に３層構造となっている。図２５に示されるのが表面側の第１層、図２６に示されるのが背面側の第３層であり、その間に中間の第２層が形成されている。以下に説明するように、球は基本的には表面側の第１層を下方に移動する。なお第１層を落下する球が手前にこぼれないように、図２５に破線で示す平板３１６がケース３１０の一部として形成されている。
【００５６】
ケース３１０の上端部の第１層に、スタートチャッカー３１１が設けられている。球がスタートチャッカー３１１を通過したとき抽選が開始される。抽選結果が外れの場合には、球は第１層を下方に落下し、ケース３１０の第１層に突設された第１斜面３１２、第２斜面３１３、第３斜面３１４を順次転動して下部の排出口３１５からそのまま排出される。
【００５７】
抽選結果が当たりの場合には、スタートチャッカー３１１の下方に設けられたガイド機構２０が作動し、傾斜したガイド板２１を第１層に進出させる。このガイド機構２０は本発明の要部ではないうえ、第１の実施形態のガイド機構２０と同一であるため、説明を省略する。
【００５８】
ガイド板２１が進出すると、スタートチャッカー３１１から下方に落下した球が傾斜したガイド板２１に乗り、第２チャッカー３２２を通過する。第２チャッカー３２２を通過した球は、ケース３１０の穴を通過して第２層に入る。球が第２チャッカー３２２を通過すると再び抽選が開始され、その結果が当たりの場合には振り分け機構が作動する。この振り分け機構４０も第１の実施形態と同じであるので、説明を省略する。
【００５９】
球が第２チャッカー３２２を通過すると開始される抽選の結果が外れの場合には、振り分け機構４０のソレノイド４１は舌片４５を動かし、球をケース３１０の裏面側に排出する。一方、抽選の結果が当たりの場合には舌片４５が図２６の位置に移動し、第２チャッカー３２２を通過した球を図２７に示す第２層に形成された入賞球通路３４０に導く。
【００６０】
入賞球通路３４０に隣接する位置には、リンク機構３５０が配置されている。図２８、図２９にリンク機構３５０のみを取り出して示した。このリンク機構３５０は、アタッカー扉３５１を軸３５２により軸支し、このアタッカー扉３５１に一体に形成した突辺３５３を入賞球通路３４０に突出させたものである。通常状態では図２８に示すように突辺３５３は斜め上向きであり、アタッカー扉３５１は下向きである。しかし入賞球通路３４０内を球が落下すると、その重量によってアタッカー扉３５１は回転して略水平になり、図３０に示すように第１層に進出する。
【００６１】
また、アタッカー扉３５１の端部には平板３５４が形成されており、その下方にストッパ３５５を備えたリンク３５６が設けられている。リンク３５６は中央の軸３５７に軸支されたものであるが、反対側にウエイト３５８が取り付けられている。このためリンク３５６は図２９において反時計方向のモーメントを付与されており、アタッカー扉３５１が図２９の位置まで回転すると、平板３５４に形成されたノッチ３５９にストッパ３５５が嵌まり込み、アタッカー扉３５１を略水平状態に保持する。
【００６２】
図３０に示すようにアタッカー扉３５１が第１層に進出すると、スタートチャッカー３１１から下方に落下して第１斜面３１２、第２斜面３１３を流れてきた後続の球がアタッカー扉３５１によって入賞チャッカー３８０に導かれ、大当たりとなって所定数の賞球が払い出されることとなる。入賞チャッカー３８０を通過した球は、図３１に示される入賞チャッカー３８０の出口に形成された穴３８１を通って第３層の球排出経路３８２に流れる。
【００６３】
図２８、図２９に示すように、ストッパ３５５を備えたリンク３５６の下方にはリセット用リンク３７０が設けられている。このリセット用リンク３７０は上端を軸３７１に軸支され、中央部にウエイト３７２を備え、下端に舌片３７３を備えている。この舌片３７３は図３２に示すように、ストッパ３５５を備えたリンク３５６の端部の突起３７４の斜め下方に位置している。またこの舌片３７３は、入賞チャッカー３８０の出口の球排出経路３８１に突出されている。
【００６４】
このため、入賞チャッカー３８０を通過した球の重量によりリセット用リンク３７０は上部に軸３７１を中心として揺動し、図２９に示すリンク３５６の突起３７４を上方に移動させる。このため軸３５７を挟んで反対側にあるストッパ３５５は下方に移動し、アタッカー扉３５１から外れ、アタッカー扉３５１はウエイト３８３によるモーメントによって図２８に示す下向き位置まで回転する。
【００６５】
このように、第４の実施形態のリンク機構３５０は、球が入賞球通路３４０を流れると、球の重量によりアタッカー扉３５１は直接回転して第１層に進出する。これと同時にストッパ３５５がアタッカー扉３５１を略水平位置に保持する。アタッカー扉３５１が進出すると後続の球は入賞チャッカー３８０に導かれるが、入賞チャッカー３８０を通過した球の重量によってリセット用リンク３７０がストッパ３５５を外し、アタッカー扉３５１を下向きに回転させる。このため、球の重量を利用して球を確実に入賞口に導くことができ、また球の重量を利用してリセットすることが可能である。
【００６６】
以上に説明した第４の実施形態の作動を整理すると次の通りである。
（１）球がスタートチャッカー３１１を通過したとき抽選が開始される。抽選結果が外れの場合には、球は第１層を下方に落下し、ケース３１０の第１層に突設された第１斜面３１２、第２斜面３１３、第３斜面３１４を順次転動して下部の排出口３１５からそのまま排出される。
（２）抽選結果が当たりの場合には、スタートチャッカー３１１の下方に設けられたガイド機構２０が作動し、傾斜したガイド板２１を第１層に進出させる。これにより後続の球は第２チャッカー３２２に導かれる。
（３）球が第２チャッカー３２２を通過すると再び抽選が開始される。抽選結果が外れの場合には、振り分け機構４０のソレノイド４１は舌片４５を動かし、球をケース３１０の裏面側に排出する。
（４）抽選の結果が当たりの場合には舌片４５が図２７の位置に移動し、第２チャッカー３２２を通過した球を第２層に形成された入賞球通路３４０に導く。
（５）球が入賞球通路３４０を流れると入賞した球の重量によりアタッカー扉３５１は直接回転して第１層に進出する。このため後続の球は入賞チャッカー３８０に導かれ、大当たりとなる。
（６）しかし、入賞チャッカー３８０を通過した球の重量によってリセット用リンク３７０はアタッカー扉３５１を後退させ、初期状態にリセットされる。
【００６７】
以上の各実施形態に示したように、本発明の入賞装置は抽選の結果が当たりであるとき、球の重量を利用して球を確実に入賞チャッカーに導くことができ、また入賞チャッカーを通過した球の重量により、確実にリセットすることができる。
【符号の説明】
【００６８】
１０  第１の実施形態のケース
１１  スタートチャッカー
１２  第１斜面
１３  第２斜面
１４  第３斜面
１５  排出口
１６  平板
２０  ガイド機構
２１  ガイド板
２２  第２チャッカー
２３  ソレノイド
２４  バネ
２５  プランジャ
２６  ロッド
２７  垂直軸
２８  揺動部材
２９  円柱部
３０  基部
３１  長孔
４０  振り分け機構
４１  ソレノイド
４２  水平軸
４３  揺動部材
４４  円弧状スリット
４５  舌片
４６  アウト球通路
４７  入賞球通路
５０  リンク機構
５１  昇降リンク
５２  駆動リンク
５３  ピン
５４  軸
５５  駆動リンクの先端
５６  リセット用リンク
５７  ピン
５８  軸
５９  ウエイト
６０  磁石
６１  磁石
６６  球排出経路
６２  Ｌ字型のリンク
６３  軸
６４  ピン
６５  アタッカー扉
７０  入賞チャッカー
７１  球排出経路
７２  突起
１１０  第２の実施形態のケース
１１１  スタートチャッカー
１１２  第１斜面
１１３  第２斜面
１１３  第３斜面
１１５  排出口
１１６  平板
１２０  ガイド機構
１２１  ガイド板
１２２  第２チャッカー
１２３  ソレノイド
１２４  バネ
１２５  プランジャ
１２６  ロッド
１２７  垂直軸
１２８  揺動部材
１２９  円柱部
１３０  基部
１３１  長孔
１４０  振り分け機構
１４１  ソレノイド
１４２  プランジャ
１４３  ロッド
１４４  水平軸
１４５  揺動部材
１４６  舌片
１４７  入賞球通路
１５０  リンク機構
１５１  水平軸
１５２  Ｌ型の揺動リンク
１５３  ウエイト
１５４  軸
１５５  ストッパ
１５６  ロッド
１５７  突起
１６０  アタッカー扉
１６１  駆動リンク
１６２  先端部
１６３  軸
１６５  リセット用リンク
１６６  軸
１６７  リセット用リンクの先端部
１８０  入賞チャッカー
１８１  球排出経路
２１０  第３の実施形態のケース
２１１  スタートチャッカー
２１２  第１斜面
２１３  第２斜面
２１４  第３斜面
２１５  排出口
２１６  平板
２２２  第２チャッカー
２３８  舌片
２３９  凹部
２４０  振り分け機構
２４１  ソレノイド
２４２  プランジャ
２４３  クランク型のアーム
２４４  水平軸
２４５  揺動部材
２４６  ピン
２４７  円弧状スリット
２４８  アウト球排出通路
２４９  入賞球通路
２５０  リンク機構
２５１  水平軸
２５２  揺動リンク
２５３  下端
２５４  アタッカー扉
２５５  上端
２５６  水平軸
２５７  駆動リンク
２５８  下部
２５９  先端
２６０  ウエイト
２６１  窓穴
２６２  ストッパ
２６３  係止部
２８０  入賞チャッカー
２８１  球排出経路
２７０  リセット用リンク
２７１  先端
３１０  第４の実施形態のケース
３１１  スタートチャッカー
３１２  第１斜面
３１３  第２斜面
３１４  第３斜面
３１５  排出口
３１６  平板
３２２  第２チャッカー
３４０  入賞球通路
３５０  リンク機構
３５１  アタッカー扉
３５２  軸
３５３  突片
３５４  平板
３５５  ストッパ
３５６  リンク
３５７  軸
３５８  ウエイト
３５９  ノッチ
３７０  リセット用リンク
３７１  軸
３７２  ウエイト
３７３  舌片
３７４  突起
３８０  入賞チャッカー
３８１  穴
３８２  球排出経路
３８３  ウエイト
【図１】
2020031901.tif 000003
【図２】
2020031901.tif 000004
【図３】
2020031901.tif 000005
【図４】
2020031901.tif 000006
【図５】
2020031901.tif 000007
【図６】
2020031901.tif 000008
【図７】
2020031901.tif 000009
【図８】
2020031901.tif 000010
【図９】
2020031901.tif 000011
【図１０】
2020031901.tif 000012
【図１１】
2020031901.tif 000013
【図１２】
2020031901.tif 000014
【図１３】
2020031901.tif 000015
【図１４】
2020031901.tif 000016
【図１５】
2020031901.tif 000017
【図１６】
2020031901.tif 000018
【図１７】
2020031901.tif 000019
【図１８】
2020031901.tif 000020
【図１９】
2020031901.tif 000021
【図２０】
2020031901.tif 000022
【図２１】
2020031901.tif 000023
【図２２】
2020031901.tif 000024
【図２３】
2020031901.tif 000025
【図２４】
2020031901.tif 000026
【図２５】
2020031901.tif 000027
【図２６】
2020031901.tif 000028
【図２７】
2020031901.tif 000029
【図２８】
2020031901.tif 000030
【図２９】
2020031901.tif 000031
【図３０】
2020031901.tif 000032
【図３１】
2020031901.tif 000033